(57)【要約】  プラグをプラグ挿入ラインに対して斜めに挿入したとしても、プラグをソケットに容易に挿入できるバックルの提供を目的として、プラグ（２０）は、一対の脚部（２２）と、一対の脚部（２２）の先端部に形成される一対の係合突部（２３）と、を有し、ソケット（３０）は、上板（３２）及び下板（３３）と、上板（３２）の幅方向両側縁に沿って下方に向けて突設される上側壁部（３４）と、下板（３３）の幅方向両側縁に沿って上方に向けて突設される下側壁部（３５）と、上側壁部（３４）及び下側壁部（３５）間に形成され、プラグ挿入側の端部が開口して一対の脚部（２２）が挿入可能なスリット（３７）と、上側壁部（３４）及び下側壁部（３５）の内側面で形成され、上下板（３２），（３３）間に挿入された一対の脚部（２２）の一対の係合突部（２３）を係合段部（３６）にガイドするガイド面（３８）と、を有し、一対の係合突部（２３）の上下方向寸法（Ｔ１）をスリット（３７）の幅寸法（Ｔ２）よりも大きく設定する。
2014002235.tif 000002
【特許請求の範囲】
【請求項１】
プラグ（２０）と、  前記プラグ（２０）が挿入され、前記プラグ（２０）と係合するソケット（３０）と、を備え、  前記プラグ（２０）は、  ベルト状部材が取り付けられるプラグ側基部（２１）と、  前記プラグ側基部（２１）の幅方向両端部から互いに平行に延びる一対の脚部（２２）と、  前記一対の脚部（２２）の先端部にそれぞれ上下方向に突出して形成される一対の係合突部（２３）と、を有し、  前記ソケット（３０）は、  ベルト状部材が取り付けられるソケット側基部（３１）と、  前記ソケット側基部（３１）から互いに延びる上板（３２）及び下板（３３）と、  前記上板（３２）の幅方向両側縁に沿って下方に向けて突設される上側壁部（３４）と、  前記下板（３３）の幅方向両側縁に沿って上方に向けて突設される下側壁部（３５）と、  前記上下板（３２，３３）間に挿入された前記一対の脚部（２２）の前記一対の係合突部（２３）とそれぞれ係合可能な係合段部（３６）と、  前記上側壁部（３４）及び前記下側壁部（３５）間に形成され、プラグ挿入側の端部が開口して前記一対の脚部（２２）が挿入可能なスリット（３７）と、  前記上側壁部（３４）及び前記下側壁部（３５）の内側面で形成され、前記上下板（３２，３３）間に挿入された前記一対の脚部（２２）の前記一対の係合突部（２３）を前記係合段部（３６）にガイドするガイド面（３８）と、を有し、  前記一対の係合突部（２３）の上下方向寸法（Ｔ１）が前記スリット（３７）の幅寸法（Ｔ２）よりも大きく設定されることを特徴とするバックル。
【請求項２】
前記脚部（２２）は、外側脚部（２５）及び内側脚部（２６）を有し、  前記内側脚部（２６）の上下方向寸法（Ｔ３）が前記スリット（３７）の幅寸法（Ｔ２）よりも大きく設定されることを特徴とする請求項１に記載のバックル。
【請求項３】
前記外側脚部（２５）の基端部から中間部には操作部（２５ａ）が形成され、  前記操作部（２５ａ）の上下方向寸法（Ｔ４）が前記上下板（３２，３３）間の上下方向寸法（Ｔ５）よりも大きく設定されることを特徴とする請求項２に記載のバックル。
【請求項４】
前記プラグ（２０）は、前記一対の脚部（２２）間に配置され、前記一対の脚部（２２）と平行に形成される嵌合ロッド（２４）を有し、  前記ソケット（３０）は、前記上下板（３２，３３）間に配置され、前記嵌合ロッド（２４）が嵌合される嵌合穴（３９）を有することを特徴とする請求項１〜３のいずれか１項に記載のバックル。
【請求項５】
前記外側脚部（２５）に、前記ソケット（３０）の前記スリット（３７）に挿入可能なスリット挿入部（２５ｂ）が形成されることを特徴とする請求項３に記載のバックル。
【請求項６】
前記ソケット（３０）の前記上下板（３２，３３）の内側面が、前記ソケット側基部（３１）に向かうに従って狭くなるように形成されることを特徴とする請求項１又は４に記載のバックル。
【請求項７】
プラグ（２０）と、  前記プラグ（２０）と係合するソケット（３０）と、を備え、  前記プラグ（２０）は、  ベルト状部材が取り付けられるプラグ側基部（２１）と、  前記プラグ側基部（２１）の幅方向両端部から互いに平行に延びる一対の脚部（２２）と、  前記一対の脚部（２２）の先端部にそれぞれ上下方向に突出して形成される一対の係合突部（２３）と、を有し、  前記ソケット（３０）は、  ベルト状部材が取り付けられるソケット側基部（３１）と、  前記ソケット側基部（３１）から互いに延びる上板（３２）及び下板（３３）と、  前記上板（３２）の幅方向両側縁に沿って下方に向けて突設される上側壁部（３４）と、  前記下板（３３）の幅方向両側縁に沿って上方に向けて突設される下側壁部（３５）と、  前記上下板（３２，３３）間に挿入された前記一対の脚部（２２）の前記一対の係合突部（２３）とそれぞれ係合可能な係合段部（３６）と、  前記上側壁部（３４）及び前記下側壁部（３５）間に形成され、プラグ挿入側の端部が開口して前記一対の脚部（２２）が挿入可能なスリット（３７）と、  前記上側壁部（３４）及び前記下側壁部（３５）の内側面で形成され、前記上下板（３２，３３）間に挿入された前記一対の脚部（２２）の前記一対の係合突部（２３）を前記係合段部（３６）にガイドするガイド面（３８）と、を有し、  前記プラグ（２０）が前記ソケット（３０）に挿入される動作により、前記プラグ（２０）の前記脚部（２２）の前記係合突部（２３）が、前記ソケット（３０）の前記ガイド面（３８）に接触しガイドを行うことを特徴とするバックル。
【請求項８】
前記脚部（２２）は、外側脚部（２５）及び内側脚部（２６）を有し、  前記内側脚部（２６）の外側面が、前記ソケット（３０）の前記上側壁部（３４）及び前記下側壁部（３５）に接触しガイドを行うことを特徴とする請求項７に記載のバックル。
【請求項９】
前記脚部（２２）は、外側脚部（２５）及び内側脚部（２６）を有し、  前記外側脚部（２５）の内側面が、前記ソケット（３０）の前記上板（３２）及び前記下板（３３）の外側面に接触しガイドを行うことを特徴とする請求項７又は８に記載のバックル。
【請求項１０】
前記プラグ（２０）が前記ソケット（３０）に挿入される動作により、前記プラグ（２０）の前記脚部（２２）の前記係合突部（２３）と前記ソケット（３０）の前記ガイド面（３８）とによるガイド、前記内側脚部（２６）の外側面と前記ソケット（３０）の前記上側壁部（３４）及び前記下側壁部（３５）とによるガイド、前記プラグ（２０）の前記外側脚部（２５）の内側面と前記ソケット（３０）の前記上板（３２）及び前記下板（３３）の外側面とによるガイドが連続して行われることを特徴とする請求項７に記載のバックル。
【発明の詳細な説明】
【技術分野】
【０００１】  本発明は、互いに係脱可能なプラグ及びソケットを備え、ベルト状部材の端部同士を連結・分離するバックルに関する。
【背景技術】
【０００２】  従来のバックルとしては、互いに係脱可能なプラグ及びソケットを備え、プラグがプラグ挿入ラインに沿って形成されるガイドロッドを有し、ソケットがプラグ挿入ラインに沿って形成され、ガイドロッドをガイドするガイド部を有するものが知られている（例えば、特許文献１、２参照）。
【先行技術文献】
【特許文献】
【０００３】
【特許文献１】米国特許第６４２１８８９号明細書
【特許文献２】日本国特許第４１７４５６１号公報
【発明の概要】
【発明が解決しようとする課題】
【０００４】  ところで、上記特許文献１、２に記載のバックルでは、ガイドロッドとガイド部がプラグ挿入ラインに沿って形成されているため、プラグをプラグ挿入ラインに沿って真っ直ぐ挿入しなければならず、プラグをプラグ挿入ラインに対して斜めに挿入すると、プラグをソケットに挿入することができなかった。【０００５】  本発明は、前述した事情に鑑みてなされたものであり、その目的は、プラグをプラグ挿入ラインに対して斜めに挿入したとしても、プラグをソケットに容易に挿入することができるバックルを提供することにある。
【課題を解決するための手段】
【０００６】  本発明の上記目的は、下記の構成により達成される。（１）プラグと、プラグが挿入され、プラグと係合するソケットと、を備え、プラグは、ベルト状部材が取り付けられるプラグ側基部と、プラグ側基部の幅方向両端部から互いに平行に延びる一対の脚部と、一対の脚部の先端部にそれぞれ上下方向に突出して形成される一対の係合突部と、を有し、ソケットは、ベルト状部材が取り付けられるソケット側基部と、ソケット側基部から互いに延びる上板及び下板と、上板の幅方向両側縁に沿って下方に向けて突設される上側壁部と、下板の幅方向両側縁に沿って上方に向けて突設される下側壁部と、上下板間に挿入された一対の脚部の一対の係合突部とそれぞれ係合可能な係合段部と、上側壁部及び下側壁部間に形成され、プラグ挿入側の端部が開口して一対の脚部が挿入可能なスリットと、上側壁部及び下側壁部の内側面で形成され、上下板間に挿入された一対の脚部の一対の係合突部を係合段部にガイドするガイド面と、を有し、一対の係合突部の上下方向寸法がスリットの幅寸法よりも大きく設定されることを特徴とするバックル。（２）脚部は、外側脚部及び内側脚部を有し、内側脚部の上下方向寸法がスリットの幅寸法よりも大きく設定されることを特徴とする（１）に記載のバックル。（３）外側脚部の基端部から中間部には操作部が形成され、操作部の上下方向寸法が上下板間の上下方向寸法よりも大きく設定されることを特徴とする（２）に記載のバックル。（４）プラグは、一対の脚部間に配置され、一対の脚部と平行に形成される嵌合ロッドを有し、ソケットは、上下板間に配置され、嵌合ロッドが嵌合される嵌合穴を有することを特徴とする（１）〜（３）のいずれか１つに記載のバックル。（５）外側脚部に、ソケットのスリットに挿入可能なスリット挿入部が形成されることを特徴とする（３）に記載のバックル。（６）ソケットの上下板の内側面が、ソケット側基部に向かうに従って狭くなるように形成されることを特徴とする（１）又は（４）に記載のバックル。（７）プラグと、プラグと係合するソケットと、を備え、プラグは、ベルト状部材が取り付けられるプラグ側基部と、プラグ側基部の幅方向両端部から互いに平行に延びる一対の脚部と、一対の脚部の先端部にそれぞれ上下方向に突出して形成される一対の係合突部と、を有し、ソケットは、ベルト状部材が取り付けられるソケット側基部と、ソケット側基部から互いに延びる上板及び下板と、上板の幅方向両側縁に沿って下方に向けて突設される上側壁部と、下板の幅方向両側縁に沿って上方に向けて突設される下側壁部と、上下板間に挿入された一対の脚部の一対の係合突部とそれぞれ係合可能な係合段部と、上側壁部及び下側壁部間に形成され、プラグ挿入側の端部が開口して一対の脚部が挿入可能なスリットと、上側壁部及び下側壁部の内側面で形成され、上下板間に挿入された一対の脚部の一対の係合突部を係合段部にガイドするガイド面と、を有し、プラグがソケットに挿入される動作により、プラグの脚部の係合突部が、ソケットのガイド面に接触しガイドを行うことを特徴とするバックル。（８）脚部は、外側脚部及び内側脚部を有し、内側脚部の外側面が、ソケットの上側壁部及び下側壁部に接触しガ���ドを行うことを特徴とする（７）に記載のバックル。（９）脚部は、外側脚部及び内側脚部を有し、外側脚部の内側面が、ソケットの上板及び下板の外側面に接触しガイドを行うことを特徴とする（７）又は（８）に記載のバックル。（１０）プラグがソケットに挿入される動作により、プラグの脚部の係合突部とソケットのガイド面とによるガイド、内側脚部の外側面とソケットの上側壁部及び下側壁部とによるガイド、プラグの外側脚部の内側面とソケットの上板及び下板の外側面とによるガイドが連続して行われることを特徴とする（７）に記載のバックル。
【発明の効果】
【０００７】  本発明のバックルによれば、プラグは、一対の脚部の先端部にそれぞれ上下方向に突出して形成される一対の係合突部を有し、ソケットは、上板の幅方向両側縁に沿って下方に向けて突設される上側壁部と、下板の幅方向両側縁に沿って上方に向けて突設される下側壁部と、上側壁部及び下側壁部間に形成され、プラグ挿入側の端部が開口して一対の脚部が挿入可能なスリットと、上側壁部及び下側壁部の内側面で形成され、上下板間に挿入された一対の脚部の一対の係合突部を係合段部にガイドするガイド面と、を有し、一対の係合突部の上下方向寸法がスリットの幅寸法よりも大きく設定されるため、プラグがプラグ挿入ラインに対して斜めに挿入されたとしても、プラグの一方の脚部の一対の係合突部がソケットの上側壁部及び下側壁部のガイド面に接触しガイドされる。これにより、プラグの向きがプラグ挿入ラインに沿うように調整されるので、プラグをソケットに容易に挿入することができる。【０００８】  また、本発明のバックルによれば、脚部の内側脚部の上下方向寸法がスリットの幅寸法よりも大きく設定されるため、プラグがプラグ挿入ラインに対して斜めに挿入されたとしても、プラグの一方の脚部の内側脚部の外側面がソケットの上側壁部及び下側壁部の端部に接触しガイドされる。これにより、プラグの向きがプラグ挿入ラインに沿うように調整されるので、プラグをソケットに更に容易に挿入することができる。【０００９】  また、本発明のバックルによれば、外側脚部の操作部の上下方向寸法が上下板間の上下方向寸法よりも大きく設定されるため、プラグがプラグ挿入ラインに対して斜めに挿入されたとしても、プラグの一方の脚部の外側脚部の内側面がソケットの上板及び下板の外側面に接触しガイドされる。これにより、プラグの向きがプラグ挿入ラインに沿うように調整されるので、プラグをソケットに更に容易に挿入することができる。【００１０】  また、本発明のバックルによれば、プラグが、一対の脚部間に配置され、一対の脚部と平行に形成される嵌合ロッドを有し、ソケットが、上下板間に配置され、嵌合ロッドが嵌合される嵌合穴を有するため、バックル係合時において、プラグとソケットの上下方向及び幅方向のガタつきを防止することができる。【００１１】  また、本発明のバックルによれば、ソケットの上下板の内側面が、ソケット側基部に向かうに従って狭くなるように形成されるため、上下板のプラグ挿入側の端部を広くすることができ、プラグの挿入性を向上することができる。
【図面の簡単な説明】
【００１２】
【図１】本発明に係るバックルの一実施形態の係合状態の斜視図である。
【図２】図１に示すバックルの非係合状態の斜視図である。
【図３】非係合状態のバックルの一部切欠上面図である。
【図４】非係合状態のバックルの右側面図である。
【図５】図２に示すプラグの上面図である。
【図６】図５に示すプラグを一対の脚部側から見た図である。
【図７】図２に示すソケットの上面図である。
【図８】図７に示すソケットをプラグ挿入側から見た図である。
【図９】係合状態のバックルの上面図である。
【図１０】図９のＡ−Ａ線断面図である。
【図１１】図９のＢ−Ｂ線断面図である。
【図１２】図９のＣ−Ｃ線断面図である。
【図１３】プラグの左側の脚部の一対の係合突部がソケットの上側壁部及び下側壁部のガイド面に接触した状態を説明する上面図である。
【図１４】プラグの右側の脚部の内側脚部の外側面がソケットの上側壁部及び下側壁部の端部に接触した状態を説明する上面図である。
【図１５】プラグの左側の脚部の外側脚部の内側面がソケットの上板及び下板の外側面に接触した状態を説明する上面図である。
【発明を実施するための形態】
【００１３】  以下、本発明に係るバックルの一実施形態について、図面に基づいて詳細に説明する。なお、以後の説明において、バックルに関しては、上側とは、図３の紙面に対して手前側、下側とは、図３の紙面に対して奥側、右側とは、図３の紙面に対して右側、左側とは、図３の紙面に対して左側とする。また、バックルの左右方向は幅方向とも言う。
【００１４】  本実施形態のバックル１０は、図１〜図４に示すように、プラグ２０と、プラグ２０が挿入され、プラグ２０と係合するソケット３０と、を備える。そして、プラグ２０及びソケット３０は、合成樹脂の射出成形により形成されている。また、プラグ２０及びソケット３０は、合成樹脂製に限定されず金属製であってもよい。なお、図中の符号ＰＬは、プラグ２０をソケット３０の幅方向中心線に沿って挿入する際のプラグ挿入ラインである。
【００１５】  プラグ２０は、図４〜図６に示すように、ベルト状部材が取り付けられるプラグ側基部２１と、プラグ側基部２１の幅方向両端部から互いに平行に延びる左右一対の脚部２２と、左右一対の脚部２２の先端部にそれぞれ上下方向に突出して形成される一対の係合突部２３と、左右一対の脚部２２間の幅方向中心部に配置され、左右一対の脚部２２と平行に形成される嵌合ロッド２４と、を有する。
【００１６】  プラグ側基部２１は、左右一対の側面板２１ａと、左右一対の側面板２１ａを幅方向に連結する第１〜第３連結杆２１ｂ〜２１ｄと、を有する。そして、最もソケット３０側に配置される第１連結杆２１ｂに、左右一対の脚部２２及び嵌合ロッド２４が形成されている。
【００１７】  また、図５及び図６に示すように、第１連結杆２１ｂの幅方向中央部には、ソケット３０側に突出する上面視台形状の凸部２１ｅが形成されている。さらに、第１連結杆２１ｂには、その幅方向の略全長に亘ってソケット３０側に突出する突出部２１ｆが形成されている。そして、突出部２１ｆは、バックル係合時、後述するソケット３０の上下板３２，３３のプラグ挿入側の端部内面に嵌合する（図１０〜図１２参照）。これにより、プラグ２０とソケット３０の上下方向のガタつきが防止される。
【００１８】  脚部２２は、幅方向に弾性変形可能であり、図５に示すように、外側脚部２５と、外側脚部２５よりも幅方向内側に配置され、先端部が外側脚部２５の先端部に連結される内側脚部２６と、を有する。また、内側脚部２６の幅方向の板厚は、外側脚部２５の幅方向の板厚よりも小さく設定されている。また、外側脚部２５と内側脚部２６との間には、脚部２２を上下方向に貫通する穴が形成されている。
【００１９】  外側脚部２５は、基端部から先端部に向かうに従って幅方向内側に緩やかに湾曲する形状に形成されている。また、外側脚部２５の基端部から中間部には、上下方向に幅広で側面視略長方形状の操作部２５ａが形成されている。また、外側脚部２５の先端部の上下面に、一対の係合突部２３がそれぞれ形成されている。また、外側脚部２５の操作部２５ａと一対の係合突部２３との間の部分は、後述するソケット３０のスリット３７に挿入可能なスリット挿入部２５ｂを構成する。
【００２０】  内側脚部２６は、基端部から中間部に向かうに従って幅方向内側に緩やかに湾曲する形状に形成される第１湾曲部２６ａと、中間部から先端部に向かうに従って幅方向外側に緩やかに湾曲する形状に形成される第２湾曲部２６ｂと、を有し、上面視において略Ｓ字形状に形成されている。
【００２１】  嵌合ロッド２４は、図５及び図６に示すように、断面長方形状の板状体であり、プラグ側基部２１の幅方向中心部から直線状に形成されている。また、嵌合ロッド２４の両側面の上下方向の中間部には、幅方向外側に延びる突片２４ａがそれぞれ形成されている。また、突片２４ａは、プラグ側基部２１から嵌合ロッド２４の長さ方向の中間部まで形成されている。また、嵌合ロッド２４の先端部の上下面及び左右面には、先端に向かうに従って細くなるように面取りがそれぞれ施されている。
【００２２】  ソケット３０は、図４、図７、図８に示すように、ベルト状部材が取り付けられるソケット側基部３１と、ソケット側基部３１から互いに延びる上板３２及び下板３３と、上板３２の幅方向両側縁に沿って下方に向けて突設される上側壁部３４と、下板３３の幅方向両側縁に沿って上方に向けて突設される下側壁部３５と、上下板３２，３３間に挿入された左右一対の脚部２２の一対の係合突部２３とそれぞれ係合可能な係合段部３６と、上側壁部３４及び下側壁部３５間に形成され、プラグ挿入側の端部が開口して左右一対の脚部２２が挿入可能なスリット３７と、上側壁部３４及び下側壁部３５の内側面で形成され、上下板３２，３３間に挿入された左右一対の脚部２２の一対の係合突部２３を係合段部３６にガイドするガイド面３８と、上下板３２，３３間に配置され、プラグ２０の嵌合ロッド２４が嵌合される嵌合穴３９と、を有する。
【００２３】  ソケット側基部３１は、左右一対の側面板３１ａと、左右一対の側面板３１ａを幅方向に連結する連結杆３１ｂと、を有する。そして、左右一対の側面板３１ａに、上板３２及び下板３３が連接され形成されている。
【００２４】  上下板３２，３３の幅方向両側縁は、図７に示すように、幅方向内側に凹む湾曲形状にそれぞれ形成されている。また、図９に示すように、バックル係合時、プラグ２０の外側脚部２５の操作部２５ａは、上下板３２，３３の幅方向側縁よりも幅方向外側に配置されている。
【００２５】  また、図７及び図８に示すように、上下板３２，３３のプラグ挿入側の端面の幅方向中央部には、ソケット側基部３１側に凹む上面視台形状の凹部３２ａ，３３ａがそれぞれ形成されている。そして、バックル係合時、この凹部３２ａ，３３ａには、プラグ側基部２１の第１連結杆２１ｂの凸部２１ｅが嵌合する（図９、図１０参照）。これにより、プラグ２０とソケット３０の幅方向のガタつきが防止される。
【００２６】  上側壁部３４及び下側壁部３５は、図４に示すように、上板３２及び下板３３の幅方向側縁の略全長に亘ってそれぞれ形成されている。また、上側壁部３４及び下側壁部３５のプラグ挿入側の端部には、プラグ２０の左右一対の脚部２２をスリット３７にガイドする傾斜部３４ａ，３５ａがそれぞれ形成されている。
【００２７】  係合段部３６は、図３、図７、図１２に示すように、上側壁部３４及び下側壁部３５の内側面のソケット側基部３１側の端部にそれぞれ形成されている。また、上側壁部３４側の係合段部３６は、上板３２から延びる突片３２ｂにより上方が覆われている（図１及び図９参照）。
【００２８】  ガイド面３８は、図３及び図７に示すように、上側壁部３４及び下側壁部３５の内側面のプラグ挿入側の端部から上下の係合段部３６まで連続してそれぞれ形成されている。また、ガイド面３８は、プラグ挿入側の端部から中間部まで形成される直線部３８ａと、中間部から係合段部３６まで形成され、左右のガイド面３８間の幅方向寸法が係合段部３６に向かって次第に狭くなるように湾曲する絞り部３８ｂと、を有する。また、係合段部３６は、ソケット３０の上側壁部３４及び下側壁部３５のガイド面３８に連続した位置、又は、上側壁部３４及び下側壁部３５のガイド面３８の絞り部３８ｂに連続した位置に形成されていればよい。
【００２９】  そして、図４に示すように、プラグ２０の脚部２２の一対の係合突部２３の上下方向寸法Ｔ１は、ソケット３０のスリット３７の幅寸法Ｔ２よりも大きく設定されている。これにより、左右の脚部２２の一対の係合突部２３が、ソケット３０の左右の上側壁部３４及び左右の下側壁部３５のガイド面３８にそれぞれ接触しガイドされる。そして、ガイドされた左右の脚部２２の一対の係合突部２３は、その後、左右の係合段部３６にそれぞれ係合される。
【００３０】  さらに、図１３に示すように、プラグ２０がプラグ挿入ラインＰＬに対して例えば右側から斜めに挿入されたとしても、プラグ２０の左側の脚部２２の一対の係合突部２３がソケット３０の左側の上側壁部３４及び左側の下側壁部３５のガイド面３８に接触しガイドされるので、プラグ２０の向きがプラグ挿入ラインＰＬに沿うように調整される。
【００３１】  また、図１２に示すように、プラグ２０の内側脚部２６の第１湾曲部２６ａの上下方向寸法Ｔ３は、ソケット３０のスリット３７の幅寸法Ｔ２よりも大きく設定されている。これにより、図１４に示すように、プラグ２０がプラグ挿入ラインＰＬに対して例えば右側から斜めに挿入されたとしても、右側の内側脚部２６の第１湾曲部２６ａの外側面がソケット３０の上側壁部３４及び下側壁部３５の端部に接触しガイドされるので、プラグ２０の向きがプラグ挿入ラインＰＬに沿うように更に調整される。
【００３２】  また、図４に示すように、プラグ２０の外側脚部２５の操作部２５ａの上下方向寸法Ｔ４は、上下板３２，３３間の上下方向寸法Ｔ５よりも大きく設定されている。これにより、図１５に示すように、プラグ２０がプラグ挿入ラインＰＬに対して例えば右側から斜めに挿入されたとしても、左側の外側脚部２５の操作部２５ａの内側面がソケット３０の上板３２及び下板３３の外側面に接触しガイドされるので、プラグ２０の向きがプラグ挿入ラインＰＬに沿うように更に調整される。
【００３３】  そして、本実施形態では、上記した脚部２２の係合突部２３とガイド面３８とによるガイド、内側脚部２６の第１湾曲部２６ａと上側及び下側壁部３４，３５とによるガイド、及び外側脚部２５の操作部２５ａと上下板３２，３３とによるガイドは、一連の挿入動作により連続して行われる。
【００３４】  また、図１０〜図１２に示すように、ソケット３０の上下板３２，３３の内側面は、ソケット側基部３１に向かうに従って狭くなるように形成されている。これにより、上下板３２，３３のプラグ挿入側の端部が広くなるので、プラグ２０の挿入性が向上される。
【００３５】  嵌合穴３９は、図８〜図１１に示すように、嵌合ロッド２４を僅かな隙間を介して挿入可能な断面長方形状の穴であり、上下板３２，３３と、上下板３２，３３を連結するように形成される左右一対の板部４０により構成されている。また、左右一対の板部４０のプラグ挿入側の端面には、嵌合ロッド２４の左右の突片２４ａが嵌合する凹部４０ａがそれぞれ形成されている。
【００３６】  また、図９に示すように、プラグ２０の左右の内側脚部２６は、その外側面がソケット３０の左右のガイド面３８の直線部３８ａに接触するように形成されている。これにより、プラグ挿入時において、左右の内側脚部２６が左右のガイド面３８にそれぞれ接触しガイドされるので、プラグ２０の挿入性が向上される。また、バックル係合時において、左右の内側脚部２６が左右のガイド面３８にそれぞれ接触するので、プラグ２０とソケット３０の幅方向のガタつきが防止される。
【００３７】  また、図９に示すように、プラグ２０の左右の脚部２２の操作部２５ａの最大幅寸法Ｌ１は、プラグ２０のプラグ側基部２１の最大幅寸法Ｌ２、及びソケット３０のソケット側基部３１の最大幅寸法Ｌ３よりも大きく設定されている。これにより、左右の操作部２５ａが、プラグ側基部２１及びソケット側基部３１よりも幅方向外側に配置されるので、左右の操作部２５ａを手探りでも容易に見つけることができ、また、グローブや手袋をはめた手、指でも左右の操作部２５ａを容易に内側に押すことができ、バックル１０の操作性が向上される。
【００３８】  以上説明したように、本実施形態のバックル１０によれば、プラグ２０の脚部２２の一対の係合突部２３の上下方向寸法Ｔ１が、ソケット３０のスリット３７の幅寸法Ｔ２よりも大きく設定されるため、プラグ２０がプラグ挿入ラインＰＬに対して斜めに挿入されたとしても、プラグ２０の一方の脚部２２の一対の係合突部２３がソケット３０の上側壁部３４及び下側壁部３５のガイド面３８に接触しガイドされる。これにより、プラグ２０の向きがプラグ挿入ラインＰＬに沿うように調整されるので、プラグ２０をソケット３０に容易に挿入することができる。
【００３９】  また、本実施形態のバックル１０によれば、プラグ２０の内側脚部２６の第１湾曲部２６ａの上下方向寸法Ｔ３が、ソケット３０のスリット３７の幅寸法Ｔ２よりも大きく設定されるため、プラグ２０がプラグ挿入ラインＰＬに対して斜めに挿入されたとしても、プラグ２０の一方の内側脚部２６の第１湾曲部２６ａの外側面がソケット３０の上側壁部３４及び下側壁部３５の端部に接触しガイドされる。これにより、プラグ２０の向きがプラグ挿入ラインＰＬに沿うように更に調整されるので、プラグ２０をソケット３０に更に容易に挿入することができる。
【００４０】  また、本実施形態のバックル１０によれば、プラグ２０の外側脚部２５の操作部２５ａの上下方向寸法Ｔ４が、上下板３２，３３間の上下方向寸法Ｔ５よりも大きく設定されるため、プラグ２０がプラグ挿入ラインＰＬに対して斜めに挿入されたとしても、プラグ２０の一方の外側脚部２５の操作部２５ａの内側面がソケット３０の上板３２及び下板３３の外側面に接触しガイドされる。これにより、プラグ２０の向きがプラグ挿入ラインＰＬに沿うように更に調整されるので、プラグ２０をソケット３０に更に容易に挿入することができる。
【００４１】  また、本実施形態のバックル１０によれば、プラグ２０が、一対の脚部２２間に配置され、一対の脚部２２と平行に形成される嵌合ロッド２４を有し、ソケット３０が、上下板３２，３３間に配置され、嵌合ロッド２４が嵌合される嵌合穴３９を有するため、バックル係合時において、プラグ２０とソケット３０の上下方向及び幅方向のガタつきを防止することができる。
【００４２】  また、本実施形態のバックル１０によれば、ソケット３０の上下板３２，３３の内側面が、ソケット側基部３１に向かうに従って狭くなるように形成されるため、上下板３２，３３のプラグ挿入側の端部を広くすることができ、プラグ２０の挿入性を向上することができる。
【００４３】  また、本実施形態のバックル１０によれば、プラグ２０の左右の内側脚部２６は、その外側面がソケット３０の左右のガイド面３８の直線部３８ａに接触するように形成されるため、プラグ挿入時において、左右の内側脚部２６が左右のガイド面３８にそれぞれ接触しガイドされるので、プラグ２０の挿入性を向上することができる。また、バックル係合時において、左右の内側脚部２６が左右のガイド面３８にそれぞれ接触するので、プラグ２０とソケット３０の幅方向のガタつきを防止することができる。
【００４４】  また、本実施形態のバックル１０によれば、プラグ２０の左右の脚部２２の操作部２５ａの最大幅寸法Ｌ１は、プラグ２０のプラグ側基部２１の最大幅寸法Ｌ２、及びソケット３０のソケット側基部３１の最大幅寸法Ｌ３よりも大きく設定されるため、左右の操作部２５ａが、プラグ側基部２１及びソケット側基部３１よりも幅方向外側に配置される。これにより、左右の操作部２５ａを手探りでも容易に見つけることができ、また、グローブや手袋をはめた手、指でも左右の操作部２５ａを容易に内側に押すことができるので、バックル１０の操作性を向上することができる。
【００４５】  また、本実施形態のバックル１０によれば、ソケット３０のスリット３７のプラグ挿入側の端部が開口し、プラグ２０の外側脚部２５の操作部２５ａが、上下板３２，３３の幅方向側縁よりも幅方向外側に配置されるため、使用者が一方の手でソケット３０を把持すると共に、他方の手で左右の操作部２５ａを押し込み、ソケット３０からプラグ２０を引き抜く方法と、使用者が一方の手で左右の操作部２５ａを押し込みつつ弾き出すことで、ソケット３０からプラグ２０を取り外す方法の２つの方法によりバックル１０の係合を解除することができる。
【００４６】  また、本実施形態のバックル１０によれば、プラグ２０の外側脚部２５の操作部２５ａが、上下板３２，３３の幅方向側縁よりも幅方向外側に配置されるため、バックル１０のサイズが小さくなったとしても、操作性を維持することができる。なお、具体的には、例えば、８ｍｍ幅のベルトが取り付けられるバックルであったとしても、容易に操作することが可能である。
【００４７】  また、本実施形態のバックル１０によれば、ソケット３０のスリット３７のプラグ挿入側の端部が開口しているため、ソケット３０のプラグ挿入側の端部が環状に形成されていない。これにより、環状になっていない分、ソケット３０の全長を短くすることができ、バックル１０の全長を短くすることができる。また、環状になっている場合と比較して、プラグ２０のプラグ挿入ラインＰＬに対する挿入角度を広くすることができる。
【００４８】  なお、本発明は上記実施形態に例示したものに限定されるものではなく、本発明の要旨を逸脱しない範囲において適宜変更可能である。
【符号の説明】
【００４９】    １０    バックル    ２０    プラグ    ２１    プラグ側基部    ２２    脚部    ２３    係合突部    ２４    嵌合ロッド    ２５    外側脚部    ２５ａ  操作部    ２６    内側脚部    ２６ａ  第１湾曲部    ２６ｂ  第２湾曲部    ３０    ソケット    ３１    ソケット側基部    ３２    上板    ３３    下板    ３４    上側壁部    ３５    下側壁部    ３６    係合段部    ３７    スリット    ３８    ガイド面    ３９    嵌合穴    ＰＬ    プラグ挿入ライン    Ｔ１    一対の係合突部の上下方向寸法    Ｔ２    スリットの幅寸法    Ｔ３    内側脚部の第１湾曲部の上下方向寸法    Ｔ４    外側脚部の操作部の上下方向寸法    Ｔ５    上下板間の上下方向寸法 
【図１】
2014002235.tif 000003
【図２】
2014002235.tif 000004
【図３】
2014002235.tif 000005
【図４】
2014002235.tif 000006
【図５】
2014002235.tif 000007
【図６】
2014002235.tif 000008
【図７】
2014002235.tif 000009
【図８】
2014002235.tif 000010
【図９】
2014002235.tif 000011
【図１０】
2014002235.tif 000012
【図１１】
2014002235.tif 000013
【図１２】
2014002235.tif 000014
【図１３】
2014002235.tif 000015
【図１４】
2014002235.tif 000016
【図１５】
2014002235.tif 000017
【国際調査報告】
2014002235.tif 000018
2014002235.tif 000019